(57)【要約】【課題】  クライアント端末のファイルアクセス速度を向上させ、少なくとも１台のストレージ装置およびネットワークの負荷を低減する。【解決手段】  キャッシュ装置を備えるクライアント端末と、複数の単位記憶ユニットを有する少なくとも１台のストレージ装置と、前記クライアント端末と前記少なくとも１台のストレージ装置とを接続するネットワークとを備えるネットワークシステムであって、前記キャッシュ装置は、前記少なくとも一台のストレージ装置の所定の単位記憶ユニットから読み出したファイルを記憶し、前記クライアント端末から読み出し要求があったファイルが自キャッシュ装置にあれば前記少なくとも１台のストレージ装置にアクセスせずに、当該ファイルを自キャッシュ装置から読み出し前記クライアント端末に転送する。【選択図】        図１
2006252124.tif 000002
【特許請求の範囲】
【請求項１】
キャッシュ装置を備えるクライアント端末と、
複数の単位記憶ユニットを有する少なくとも１台のストレージ装置と、
前記クライアント端末と前記少なくとも１台のストレージ装置とを接続するネットワークとを備えるネットワークシステムであって、
前記キャッシュ装置は、前記少なくとも一台のストレージ装置の所定の単位記憶ユニットから読み出したファイルを記憶し、前記クライアント端末から読み出し要求があったファイルが自キャッシュ装置にあれば前記少なくとも１台のストレージ装置にアクセスせずに、当該ファイルを自キャッシュ装置から読み出し前記クライアント端末に転送することを特徴とするネットワークシステム。
【請求項２】
前記キャッシュ装置は、前記クライアント端末に接続された記憶装置で構成されることを特徴とする請求項１に記載のネットワークシステム。
【請求項３】
前記記憶装置は、内蔵ハードディスク、ＵＳＢメモリ、あるいは、ＲＡＭディスクであることを特徴とする請求項２に記載のネットワークシステム。
【請求項４】
前記所定の単位記憶ユニットには、前記クライアント端末を動作させるためのファイルが格納されており、
前記クライアント端末は、前記所定の単位記憶ユニットに格納されたファイルをロードして動作することを特徴とする請求項１ないし請求項３のいずれか１項に記載のネットワークシステム。
【請求項５】
クライアント端末と、
複数の単位記憶ユニットを有する少なくとも１台のストレージ装置と、
前記クライアント端末と前記少なくとも１台のストレージ装置とを接続するネットワークとを備えるネットワークシステムにおけるファイルアクセス方法であって、
前記少なくとも１台のストレージ装置の所定の単位記憶ユニットから読み出したファイルを記憶するキャッシュ装置を設け、
前記クライアント端末から読み出し要求があったファイルが、前記キャッシュ装置にあれば前記少なくとも１台のストレージ装置にアクセスせずに、当該ファイルを前記キャッシュ装置から読み出し前記クライアント端末に転送することを特徴とするファイルアクセス方法。
【請求項６】
前記キャッシュ装置には、前記所定の単位記憶ユニットに格納されたファイルの全部、あるいは、一部が記憶されることを特徴とする請求項５に記載のファイルアクセス方法。
【請求項７】
前記クライアント端末から読み出し要求があったファイルが、前記キャッシュ装置になければ、前記少なくとも１台のストレージ装置の所定の単位記憶ユニットから当該ファイルを読み出し前記クライアント端末に転送するとともに、当該ファイルを前記キャッシュ装置に記憶することを特徴とする請求項５または請求項６に記載のファイルアクセス方法。
【請求項８】
前記少なくとも１台のストレージ装置の所定の単位記憶ユニットと前記キャッシュ装置に同名のファイルが存在する場合に、当該同名の２つのファイルの差分を比較し、前記少なくとも１台のストレージ装置の所定の単位記憶ユニット内のファイルが新しい場合には、前記少なくとも１台のストレージ装置の所定の単位記憶ユニットから新しいファイルを読み出し前記クライアント端末に転送するとともに、当該ファイルを前記キャッシュ装置に記憶し、前記キャッシュ装置内のファイルが新しい場合には、前記少なくとも１台のストレージ装置にアクセスせずに、当該ファイルを前記キャッシュ装置から読み出し前記クライアント端末に転送することを特徴とする請求項５または請求項６に記載のファイルアクセス方法。
【請求項９】
請求項５ないし請求項８のいずれか１項に記載のファイルアクセス方法をコンピュータに実行させるためのプログラム。
【発明の詳細な説明】
【技術分野】
【０００１】
本発明は、ネットワークシステム、ファイルアクセス方法およびプログラムに係り、特に、クライアント端末のファイルアクセス速度を向上させる技術に関する。
【背景技術】
【０００２】
従来、コンピュータ端末の動作に必要な、例えば、オペレーティングシステム（以下、ＯＳという）やアプリケーションソフトウェア等のデータをコンピュータ端末の外部に設置されたストレージ装置に保存し、ネットワークを介して取得することを可能とするネットワークブートシステムが知られている（下記、特許文献１参照）。
この特許文献１に係わる発明では、コンピュータ端末の使用に必要なデータを、各コンピュータ端末に内蔵されたハードディスクに保存することなく、ストレージ装置に集約して保存できることから、ＯＳやアプリケーションソフトウェアの新しいバージョンヘの更新や、コンピュータウイルスの駆除といったストレージ装置のデータ更新処理を、各コンピュータ端末の使用者による自発的な実施に依存することなく、ネットワークブートシステムの管理者等が一括して行うことが期待できる。
【０００３】
なお、本願発明に関連する先行技術文献としては以下のものがある。
【特許文献１】特開２００２−１２３４００号公報
【発明の開示】
【発明が解決しようとする課題】
【０００４】
しかしながら、前述したネットワークブートシステムでは、クライアント端末が、ストレージ装置内のＯＳ、アプリケーション、ユーザデータなどを格納する論理ユニット（Logical Unit；以下、ＬＵという）を利用する場合に、ファイルアクセスがネットワークを経由する。
そのため、ファイルアクセス（ファイルの読み書き）に時間がかかる、あるいは、ストレージ装置（ネットワーク制御部やディスク読み書き部）およびネットワークへの負荷が集中／増大するという問題点があった。
本発明は、前記従来技術の問題点を解決するためになされたものであり、本発明の目的は、ネットワークシステムおよびファイルアクセス方法において、クライアント端末のファイルアクセス速度を向上させ、ストレージ装置およびネットワークの負荷を低減することが可能となる技術を提供することにある。
また、本発明の他の目的は、前述のファイルアクセス方法をコンピュータに実行させるためのプログラムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明のネットワークシステムでは、クライアント端末に直結した記憶装置（例えば、内蔵ＨＤＤ、ＵＳＢメモリ、ＲＡＭディスク等）を読み書き自在にマウント（ＲＷマウント）してキャッシュ装置として利用する。
前記キャッシュ装置は、前記ストレージ装置の所定の単位記憶ユニットから読み出したファイルを記憶し、前記クライアント端末から読み出し要求があったファイルが自キャッシュ装置にあれば前記ストレージ装置にアクセスせずに、当該ファイルを自キャッシュ装置から読み出し前記クライアント端末に転送する。
また、前記キャッシュ装置は、前記クライアント端末から読み出し要求があったファイルが自キャッシュ装置になければ、前記ストレージ装置の所定の単位記憶ユニットから当該ファイルを読み出し前記クライアント端末に転送するとともに、当該ファイルを自キャッシュ装置に記憶する。
また、前記キャッシュ装置は、前記ストレージ装置の所定の単位記憶ユニットと自キャッシュ装置に同名のファイルが存在する場合に、当該同名の２つのファイルの差分（例えば、容量やタイムスタンプなど）を比較し、前記少なくとも１台のストレージ装置の所定の単位記憶ユニット内のファイルが新しい場合には、前記少なくとも１台のストレージ装置の所定の単位記憶ユニットから新しいファイルを読み出し前記クライアント端末に転送するとともに、当該ファイルを前記キャッシュ装置に記憶し、前記キャッシュ装置内のファイルが新しい場合には、前記少なくとも１台のストレージ装置にアクセスせずに、当該ファイルを前記キャッシュ装置から読み出し前記クライアント端末に転送する。
また、本発明は、前述のファイルアクセス方法をコンピュータに実行させるためのプログラムである。
【発明の効果】
【０００６】
本願において開示される発明のうち代表的なものによって得られる効果を簡単に説明すれば、下記の通りである。
本発明によれば、クライアント端末のファイルアクセス速度を向上させることが可能となるとともに、ストレージ装置およびネットワークの負荷を低減することが可能となる。
【発明を実施するための最良の形態】
【０００７】
以下、本発明をネットワークブートシステムに適用した実施例を図面を参照して詳細に説明する。
なお、実施例を説明するための全図において、同一機能を有するものは同一符号を付け、その繰り返しの説明は省略する。
図１は、本発明の実施例のネットワークブートシステムの概略構成を示すブロック図である。
本実施例のネットワークブートシステムは、図１に示すように、キャッシュ装置（２１，２２）を備える１台以上のクライアント端末（１，２）、ＤＨＣＰ（Dynamic Host Configuration Protocol）サーバ３、ＰＸＥ（Preboot Execution Environment）サーバ４、ＴＦＴＰ（Trivial File Transfer Protoco1）サーバ５、データベース管理サーバ（以下、ＤＢサーバ）６、１台以上のストレージ装置（１０、１１）が、ＴＣＰ／ＩＰ（Transmission Control Protocol/Internet Protocol）ネットワーク９を介して接続されている。
なお、各装置にはＩＰアドレスが割り当てられ、各装置間はＴＣＰ／ＩＰによる通信が可能である。
本実施例のネットワークブートシステムでは、クライアント端末（１，２）に直結した記憶装置（例えば、内蔵ＨＤＤ、ＵＳＢメモリ等）を読み書き自在にマウント（ＲＷマウント）してキャッシュ装置（２１，２２）として利用する。
各ストレージ装置（１０，１１）内には、データを格納するための１以上のターゲット（１０１〜１０３）があり、ターゲットには１以上の論理ユニット（Logical Unit；以下、ＬＵ）があり、各ＬＵにはユーザが割り当てられ（１つのＬＵに複数のユーザが割り当てられることもあるし、一切のユーザが割り当てられないこともある）、当該ユーザがクライアント端末を動作させるのに必要なデータ（例えば、ＯＳやアプリケーションソフトウェア等）が保存されている。
【０００８】
本実施例では、各クライアント端末（１，２）と各ストレージ装置（１０，１１）との間の通信プロトコルとして、ｉＳＣＳＩ（Internet Small Computer System Interface）を想定するが、ＴＣＰ／ＩＰで転送可能なＩＰストレージ装置アクセスプロトコルであれば、ｉＳＣＳＩには限定されない。
さらに、ストレージ装置（１０，１１）をＴＣＰ／ＩＰネットワーク９に接続する代わりに、ストレージルータを接続することもできる。
ストレージルータには、ファイバチャネル（fibre channel；以下、ＦＣ）等のｉＳＣＳＩ以外のストレージ装置アクセスプロトコルによる通信機能を持ったストレージ装置が、ＴＣＰ／ＩＰネットワーク９とは別個のネットワークを介して接続されていて、ｉＳＣＳＩとＦＣ等との間でプロトコル変換を行い、各クライアント端末（１，２）と各ストレージ装置との間の通信を中継するものである。
図１においては、ストレージ装置（１０，１１）の全部または一部を前記ストレージルータに置き換えても問題なく動作するが、以下の説明では、ストレージルータを使用しない場合について説明する。
また、本実施例のネットワークブートシステムでは、ストレージ装置（１０，１１）内に設けられる複数のＬＵが、複数のクライアント端末の間で共用されるシステム領域ＬＵと、ユーザ毎に用意されるユーザ領域ＬＵとに分離される。ここで、システム領域ＬＵには、ＯＳ，アプリケーションデータ等が格納され、ユーザ領域ＬＵには、ユーザデータ（例えば、デスクトップ設定データ、ドキュメントファイル等）が格納される。
【０００９】
以下、図２に示すシーケンス図に従って、本実施例のネットワークブートシステムの動作を説明する。
電源が投入されると、クライアント端末（１，２）はＤＨＣＰサーバ３に対してＤＨＣＰ要求を送信し（図２の２０１）、ＤＨＣＰサーバ３はクライアント端末（１，２）に対してＤＨＣＰ応答を返す（図２の２０２）。
ＤＨＣＰ応答を受信することにより、クライアント端末（１，２）は、ＴＣＰ／ＩＰネットワーク９におけるＩＰアドレスを獲得する。さらに、ＤＨＣＰ応答には、ＰＸＥサーバ４のＩＰアドレス、および、ユーザにＯＳを選択させるためのメニュー画面を表示するための命令も含まれている。
次に、クライアント端末（１，２）は、ユーザにＯＳを選択させるためのメニュー画面を表示するための命令を実行し、ユーザにＯＳを選択させた後、ＰＸＥサーバ４に対して、ユーザが選択したＯＳを通知し（図２の２０３）、ＰＸＥサーバ４はクライアント端末（１，２）に対して、ＴＦＴＰサーバ５のＩＰアドレスと、ブートストラップファイル識別子を通知する（図２の２０４）。
次に、クライアント端末（１，２）は、指定されたＴＦＴＰサーバ５ヘブートストラップファイル取得要求（ＴＦＴＰ要求）を送り（図２の２０５）、ＴＦＴＰサーバ５から通知されたブートストラップファイル識別子に対応するブートストラップファイルをダウンロードする（図２の２０６）。
次に、クライアント端末（１，２）は、当該ダウンロードしたブートストラップファイルを、自端末内のＲＡＭ（Random Access Memory）に展開し、実行する（図２の２０７）。
【００１０】
次に、クライアント端末（１，２）のブートストラップファイルは、ＤＨＣＰサーバ３に対してＩＰアドレス要求を送信する（図２の２０８）。
ＤＨＣＰサーバ３は、クライアント端末（１，２）のブートストラップファイルに対して、ＩＰアドレスを通知する（図２の２０９）。
次に、クライアント端末（１，２）のブートストラップファイルは、ＤＢサーバ６に対してクライアント端末認証要求を送信する（図２の２１０）。
ＤＢサーバ６は、クライアント端末（１，２）の認証を行い、内部のデータベースにクライアント端末情報を登録する（図２の２１１）。
次に、ＤＢサーバ６は、クライアント端末（１，２）のブートストラップファイルに対して、システム領域の論理ユニット番号（Logical Unit Number；以下、ＬＵＮ）を通知する（図２の２１２）。この時に、通知した番号のＬＵが格納しているストレージ装置のＩＰアドレス、ポート番号、およびターゲット名も同時に通知する。
なお、システム領域ＬＵＮ通知は、２０９のステップで実行することも可能である。
次に、ブートストラップファイルは、ストレージ装置（１０，１１）に対して、通知された番号のシステム領域ＬＵの利用要求を送り（図２の２１３）、ストレージ装置（１０，１１）からのシステム領域ＬＵＮの利用応答（図２の２１４）を待って、通知された番号のシステム領域ＬＵをクライアント端末（１，２）にマウントし、ブートする。これにより、ＯＳの起動が終了する（図２の２１５）。
【００１１】
次に、ユーザのログイン（図２の２１６）を待って、クライアント端末（１，２）のＯＳは、ＤＢサーバ６に対して、ユーザ認証要求を送信する（図２の２１７）。このとき、クライアント端末（１，２）のＯＳは、ＤＢサーバ６に対して、ユーザＩＤ、パスワードを通知する。
ＤＢサーバ６は、ユーザの正当性を確認し、内部のデータベースにユーザ情報を登録する（図２の２１８）。
次に、ＤＢサーバ６は、クライアント端末（１，２）のＯＳに対して、ユーザ領域のＬＵＮを通知する（図２の２１９）。この時に、通知した番号のＬＵが格納しているストレージ装置のＩＰアドレス、ポート番号、およびターゲット名も同時に通知する。
次に、クライアント端末（１，２）のＯＳは、ストレージ装置（１０，１１）に対して、通知された番号のユーザ領域ＬＵの利用要求を送り（図２の２２０）、ストレージ装置（１０，１１）からのユーザ領域ＬＵＮ利用応答（図２の２２１）を待って、通知された番号のユーザ領域ＬＵをクライアント端末（１，２）にマウントする。
【００１２】
図３は、図１に示すＤＢサーバ６内で管理されるテーブルの種類を示す図である。
図３に示すように、ＤＢサーバ６内には、クライアント端末起動制御テーブル６１、ユーザ情報テーブル６２、ＬＵＮ情報テーブル６３、ストレージ装置情報テーブル６４、クライアント端末情報テーブル６５が設けられる。
図４は、図３に示すクライアント端末起動制御テーブル６１の内容を示す図である。
図４に示すように、クライアント端末起動制御テーブル６１は、起動されたクライアント端末のＭＡＣアドレス、ＩＰアドレス、使用ＯＳ名、使用ユーザ名、ユーザが使用するＬＵＮを格納するものである。クライアント端末起動制御テーブル６１のそれぞれのフィールドには、図２に示すクライアント端末・ユーザ認証情報登録（図２の２１２）時に所定の情報が格納される。
図５は、図３に示すユーザ情報テーブル６２の内容を示す図であり、図５に示すようにユーザ情報テーブル６２は、ユーザ名毎のパスワードを格納するものである。このユーザ情報テーブル６２は、ユーザ認証（図２の２１２）時に使用される。
【００１３】
図６は、図３に示すＬＵＮ情報テーブル６３の内容を示す図であり、図６に示すようにＬＵＮ情報テーブル６３には、ＬＵＮと、当該ＬＵＮの番号のＬＵの種類（システム領域ＬＵ、あるいは、ユーザ領域ＬＵ）と、当該ＬＵＮの番号のＬＵのＯＳと、使用しているクライアント端末名と、使用しているユーザ名とが格納される。「ＬＵ使用クライアント端末」には、「ＬＵの種類」がシステム領域ＬＵの場合のみ、クライアント端末識別子が格納され、「ＬＵ使用ユーザ名」には、「ＬＵの種類」がユーザ領域ＬＵの場合のみユーザ名が格納される。このＬＵＮ情報テーブル６３を用いて、クライアント端末に対して、システム領域ＬＵＮ、およびユーザ領域ＬＵＮを通知する。（図２の２１２、図２の２１９）
図７は、図３に示すストレージ装置情報テーブル６４の内容を示す図であり、図７に示すようにストレージ装置情報テーブル６４は、ＬＵＮ毎に、ストレージ装置のＩＰアドレスと、ポート番号と、ターゲット名を格納するものである。クライアント端末に対して、ユーザ用のＬＵＮを通知（図２の２１５）する際に、このストレージ装置情報テーブル６４の内容も同時に通知される。
図８は、図３に示すクライアント端末情報テーブル６５の内容を示す図であり、図８に示すようにクライアント端末情報テーブル６５は、クライアント端末のＭＡＣアドレスと、クライアント端末のＩＰアドレスと、ＤＨＣＰサーバ３のＩＰアドレスと、ＴＦＴＰサーバ５のＩＰアドレスとを格納するものである。
【００１４】
本実施例では、ブートストラップファイルは、必要に応じてクライアント端末（１，２）のユーザに対して、ユーザ名とパスワードを入力させ、認証要求をＤＢサーバ６に送信するユーザ認証機能、および受信した認証応答に基づき、指定されたストレージ装置内のＬＵ（１０１〜１０３）に接続するｉＳＣＳＩイニシエータ機能を有する。
また、本実施例では、ＤＢサーバ６が、クライアント端末（１，２）の電源投入後に、クライアント端末との間で通信を行い、クライアント端末（１，２）にクライアント端末管理データを割り当てるためのクライアント端末認証プログラムを有する。
このプログラムは、ユーザの選択や、クライアント端末（１，２）のＭＡＣアドレス情報から、起動ＯＳやＩＰアドレス、ホスト名（コンピュータ名）、ドメイン名、システム領域ＬＵを動的に割り当てるプログラムである。
さらに、ＤＢサーバ６が、ユーザログイン時に、クライアント端末（１，２）との間で通信を行い、ユーザ認証情報を割り当てるユーザ認証プログラム（ユーザ名をもとにユーザ領域ＬＵを割り当てるプログラム）も有する。
【００１５】
前述したように、本実施例のネットワークブートシステムでは、クライアント端末（１，２）に直結した記憶装置（例えば、内蔵ＨＤＤ、ＵＳＢメモリ、ＲＡＭディスク等）を読み書き自在にマウント（ＲＷマウント）してキャッシュ装置（２１，２２）として利用する。
キャッシュ装置（２１，２２）は、ストレージ装置（１０，１１）の所定のＬＵから読み出したファイルを記憶し、クライアント端末（１，２）から読み出し要求があったファイルが自キャッシュ装置にあればストレージ装置（１０，１１）にアクセスせずに、当該ファイルを自キャッシュ装置から読み出し前記クライアント端末（１，２）に転送する。
また、キャッシュ装置（２１，２２）は、クライアント端末（１，２）から読み出し要求があったファイルが自キャッシュ装置になければ、ストレージ装置（１０，１１）の所定のＬＵから当該ファイルを読み出し、クライアント端末（１，２）に転送するとともに、当該ファイルを自キャッシュ装置に記憶する。
また、キャッシュ装置（２１，２２）は、前記ストレージ装置（１０，１１）の所定のＬＵと自キャッシュ装置に同名のファイルが存在する場合に、当該同名の２つのファイルの差分（例えば、容量やタイムスタンプ等）を比較し、ストレージ装置（１０，１１）の所定の単位記憶ユニット内のファイルが新しい場合、ストレージ装置（１０，１１）の所定の単位記憶ユニットから新しいファイルを読み出しクライアント端末（１，２）に転送するとともに、当該ファイルをキャッシュ装置（２１，２２）に記憶し、キャッシュ装置内のファイルが新しい場合には、ストレージ装置（２１，２２）にアクセスせずに、当該ファイルをキャッシュ装置から読み出し、クライアント端末（１，２）に転送する。
ここで、ブートストラップファイルは、プロセス（ＯＳ，アプリケーション等）が、前述したキャッシュ装置の処理を透過的に行うことを可能とするためのファイルシステムプログラムとデバイスドライバプログラムを含んでいる。
【００１６】
なお、前述の説明では、本発明をネットワークブートシステムに適用した実施例について説明したが、本発明は、これに限定されるものではなく、本発明は、クライアント端末が、ネットワークを介してストレージ装置のＬＵ内のファイルをアクセスするネットワークシステムにも適用可能であることはいうまでもない。
また、前述の説明では、クライアント端末が、クライアント端末に直結した記憶装置（例えば、内蔵ＨＤＤ、ＵＳＢメモリ等）を備える場合について説明したが、本発明は、これに限定されるものではなく、本発明は、クライアント端末が、記憶装置（例えば、内蔵ＨＤＤ、ＵＳＢメモリ）を備えていないディスクレスであってもよく、この場合に、クライアント端末は、主メモリの一部をＲＡＭディスクとなし、このＲＡＭディスクをキャッシュ装置として利用する。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例のネットワークブートシステムの概略構成を示すブロック図である。
【図２】本発明の実施例のネットワークブートシステムの動作を説明するためのシーケンス図である。
【図３】図１に示すデータベース管理サーバ内で管理されるテーブルの種類を示す図である。
【図４】図３に示すクライアント端末起動制御テーブルの内容を示す図である。
【図５】図３に示すユーザ情報テーブルの内容を示す図である。
【図６】図３に示すＬＵＮ情報テーブルの内容を示す図である。
【図７】図３に示すストレージ装置情報テーブルの内容を示す図である。
【図８】図３に示すクライアント端末情報テーブルの内容を示す図である。
【符号の説明】
【００１８】
１，２  クライアント端末
３  ＤＨＣＰ（Dynamic Host Configuration Protocol）サーバ
４  ＰＸＥ（Preboot Execution Environment）サーバ
５  ＴＦＴＰ（Trivial File Transfer Protoco1）サーバ
６  データベース管理サーバ
９  ＴＣＰ／ＩＰネットワーク
１０，１１  ストレージ装置
２１，２２  キャッシュ装置
６１  クライアント端末起動制御テーブル
６２  ユーザ情報テーブル
６３  ＬＵＮ情報テーブル
６４  ストレージ装置情報テーブル
６５  クライアント端末情報テーブル
１０１〜１０３  ターゲット
【図１】
2006252124.tif 000003
【図２】
2006252124.tif 000004
【図３】
2006252124.tif 000005
【図４】
2006252124.tif 000006
【図５】
2006252124.tif 000007
【図６】
2006252124.tif 000008
【図７】
2006252124.tif 000009
【図８】
2006252124.tif 000010